(57)【要約】【課題】光ディスクの回転時に、光ディスクの振動や回転速度ムラを抑えると共に、トレーローディング方式の光ディスクドライブでも好適に使用することのできるディスクスタビライザーを提供する。【解決手段】光ディスク２０の記録面２０ａの裏面を覆う平板部２と、該平板部２から光ディスク２０の記録面２０ａ側に延びて該光ディスク２０を保持する爪部４とを有する。【選択図】　　　　　図１
2004022063.tif 000002
【特許請求の範囲】
【請求項１】
光ディスクの記録面の裏面を覆う平板部と、
該平板部から光ディスクの記録面側に延びて該光ディスクを保持する爪部とを有することを特徴とするディスクスタビライザー。
【請求項２】
前記爪部は、前記平板部の外縁部に設けられ、光ディスクの外周縁を保持することを特徴とする請求項１記載のディスクスタビライザー。
【請求項３】
前記平板部の外縁部から光ディスクの記録面方向に延び、該光ディスクの外周端面に当接して、前記爪部との間に該光ディスクを挟んで支持する支持部を有することを特徴とする請求項２記載のディスクスタビライザー。
【請求項４】
前記爪部が二箇所に設けられていることを特徴とする請求項３記載のディスクスタビライザー。
【請求項５】
前記二箇所の爪部と前記支持部との三者は、正三角形の頂点に該当する位置に配設されていることを特徴とする請求項４記載のディスクスタビライザー。
【請求項６】
前記爪部が三箇所に設けられていることを特徴とする請求項１または２記載のディスクスタビライザー。
【請求項７】
前記三箇所の爪部は、正三角形の頂点に該当する位置に配設されていることを特徴とする請求項６記載のディスクスタビライザー。
【請求項８】
前記平板部は円形または正多角形に形成されていることを特徴とする請求項１、２、３、４、５、６または７記載のディスクスタビライザー。
【請求項９】
光ディスクのセンターホールと連通する連通孔が形成されていることを特徴とする請求項１、２、３、４、５、６、７または８記載のディスクスタビライザー。
【発明の詳細な説明】
【０００１】
【発明の属する技術分野】
本発明は、光ディスクの回転時に、光ディスクと共に回転して光ディスクの振動や回転速度ムラを抑えるディスクスタビライザーに関する。
【０００２】
【従来の技術】
光ディスクの再生時に光ディスクの振動を抑えることによって光ディスクの誤読を抑えるための従来のディスクスタビライザーとして、特開昭６２−１７７７８２号に開示された光学式読み取り書き込み装置用スタビライザー（以下、スタビライザーＳ）が開示されている。
このスタビライザーＳは、光ディスクの上面に載置された状態で、光ディスクと共にプレーヤーに装着される。この状態で光ディスクを回転させると、光ディスクの回転時の振動が抑えられ、光ディスクの誤読を抑えることができる。
【０００３】
【発明が解決しようとする課題】
従来のスタビライザーＳは、トップローディング方式の光ディスクドライブで用いる場合には、問題なく使用できる。しかし、近年広く用いられて主流となっているトレーローディング方式の光ディスクドライブで、トレー上の光ディスクにスタビライザーＳを載置した状態で光ディスクをドライブにロードさせようとすると、トレーが動作した際に、光ディスク上でスタビライザーＳの位置がずれてしまい、ドライブ内に光ディスクとスタビライザーＳとを正常にロードすることができないことが多いという課題がある。
【０００４】
また、特に、近年パーソナルコンピュータ等で広く普及している、ＣＤを縦に装着してロードするトレーローディング方式の光ディスクドライブの場合、光ディスクの面が鉛直となった状態で光ディスクをロードするため、光ディスクの面上にスタビライザーＳを載置することができず、スタビライザーＳを使用することができないという課題がある。
【０００５】
本発明は上記課題を解決すべくなされ、その目的とするところは、光ディスクの回転時に、光ディスクの振動や回転速度ムラを抑えると共に、トレーローディング方式の光ディスクドライブでも好適に使用することのできるディスクスタビライザーを提供することにある。
【０００６】
【課題を解決するための手段】
本発明に係るディスクスタビライザーは、上記課題を解決するために、以下の構成を備える。すなわち、光ディスクの記録面の裏面を覆う平板部と、該平板部から光ディスクの記録面側に延びて該光ディスクを保持する爪部とを有することを特徴とする。
また、前記爪部は、前記平板部の外縁部に設けられ、光ディスクの外周縁を保持することを特徴とする。
これによれば、爪部に光ディスクを保持させることで、トレーの動作等によって光ディスクが動かされた際に、光ディスクとディスクスタビライザーとの位置のずれを生じなくすることができる。
【０００７】
また、前記平板部の外縁部から光ディスクの記録面方向に延び、該光ディスクの外周端面に当接して、前記爪部との間に該光ディスクを挟んで支持する支持部を有することを特徴とする。
これによれば、光ディスクを爪部に引っ掛けてから光ディスクの外周端面を支持部に当接させることで光ディスクにディスクスタビライザーを装着でき、また、支持部から光ディスクの外周端面を離すことで光ディスクからディスクスタビライザーを取り外せるため、ディスクスタビライザーの光ディスクに対する着脱を容易にできる。
【０００８】
また、前記爪部が二箇所に設けられていることを特徴とする。
これによれば、支持部と二箇所の爪部との三点によって光ディスクを保持するため、光ディスクを安定して保持することができる。
【０００９】
また、前記二箇所の爪部と前記支持部との三者は、正三角形の頂点に該当する位置に配設されていることを特徴とする。
これによれば、光ディスクを安定して保持することができると共に、ディスクスタビライザーの重心を、光ディスクの回転軸上に位置させることができる。
【００１０】
前記爪部が三箇所に設けられていることを特徴とする。
これによれば、三箇所の爪部の三点によって光ディスクを保持するため、光ディスクを安定して保持することができる。
【００１１】
また、前記三箇所の爪部は、正三角形の頂点に該当する位置に配設されていることを特徴とする。
これによれば、光ディスクを安定して保持することができると共に、ディスクスタビライザーの重心を、光ディスクの回転軸上に位置させることができる。
【００１２】
前記平板部は円形または正多角形に形成されていることを特徴とする。
これによれば、ディスクスタビライザーの重心を、光ディスクの回転軸上に位置させることができる。
【００１３】
また、光ディスクのセンターホールと連通する連通孔が形成されていることを特徴とする。
これによれば、ディスクスタビライザーが光ディスクのセンターホールを塞ぐことがないため、光ディスクドライブが回転軸を光ディスクのセンターホールに通して光ディスクを保持する際に、スタビライザーが邪魔にならない。
【００１４】
【発明の実施の形態】
以下、本発明に係るディスクスタビライザーの好適な実施の形態を、図面に基づいて説明する。
図１および図２は、本実施の形態のディスクスタビライザー１の平面図であり、図１は、光ディスクへの取り付け面、図２はその裏面から見た図である。本実施の形態のディスクスタビライザー１は、ＣＤやＤＶＤやＰＤ等の、直径が１２ｃｍの光ディスクに取り付け可能なものである。
【００１５】
本実施の形態のディスクスタビライザー１は、ＣＤとほぼ同じ直径の円形の平板状に形成された、合成樹脂から成る平板部２を本体とする。平板部２は、１．２ｍｍ程度の厚さに形成される。平板部２の中央部には、円形の平板部２と同心に、円形の連通孔２ａが形成される。また、平板部２の外縁部には、平板部２と一体に、二つの爪部４，４と、支持部６とが形成される。二つの爪部４，４と支持部６とは、正三角形の頂点に該当する位置に配設される。言い換えると、その三者は、平板部２の外周の周方向に等間隔をおいて配設される。即ち、平板部２の外縁部にそれぞれ１２０度間隔に配設される。
【００１６】
爪部４の側断面図を図３に示す。爪部４は、図１および図３に示すように、平板部２の外周に沿って、平板部２が形成する平面の垂直方向に延びる壁部４ａと、壁部４ａから平板部２の中心方向に突出する折り返し部４ｂとから成る。また、平板部２の壁部４ａの内側には、壁部４ａに沿った孔部８が形成される。
【００１７】
支持部６の側断面図を図４に示す。支持部６は、図１および図４に示すように、平板部２の外周に沿って、平板部２が形成する平面の垂直方向に延びて形成される。また、平板部２の支持部６の内側には、壁部６ａに沿った孔部１０が形成される。
【００１８】
なお、壁部４ａ，４ａの内周と支持部６の内周とを結ぶ円は、ＣＤの外周よりわずかに小径に形成される。
【００１９】
ディスクスタビライザー１にＣＤ２０を取り付ける方法を、図５および図６を用いて説明する。
図５に示すように、ＣＤ２０の記録面２０ａの裏面とディスクスタビライザー１の取り付け面側を合わせて、ＣＤ２０を平板部２に沿ってスライドさせ、ＣＤ２０の外周縁を二つの爪部４，４に引っ掛ける。すると、ＣＤ２０は、壁部４ａ，４ａにその外周端面が当接し、折り返し部４ｂによって平板部２との間に挟まれることで、爪部４に保持される。
続いて、図６に示すように、支持部６の内側にＣＤ２０を押し込む。すると、壁部４ａ，４ａの内周と支持部６の内周とを結ぶ円は、ＣＤの外周よりわずかに小径に形成されているため、ＣＤ２０は、その外周端面が壁部４ａ，４ａと支持部６とに押されて、それらの間に挟まれて、ディスクスタビライザー１に取り付けられる。
【００２０】
また、ＣＤ２０をディスクスタビライザー１から取り外す操作は、支持部６を若干外側に反らせて、ＣＤ２０を平板部２から離すように移動させて支持部６から解放することで行うことができる。
【００２１】
なお、壁部４ａ，４ａおよび支持部６に沿って、孔部８，８，１０が設けられていることで、壁部４ａ，４ａおよび支持部６が若干外側に反りやすくなり、ＣＤ２０の着脱が容易となっている。また、孔部８，８，１０は、壁部４ａ，４ａおよび支持部６を外側に反らせた際に、壁部４ａ，４ａおよび支持部６に掛かる力を逃がして、壁部４ａ，４ａおよび支持部６が破損することを防ぐ。
【００２２】
ＣＤにディスクスタビライザー１を装着することにより、ＣＤの再生時に生じる振動や回転速度ムラを抑えることができる。
ＣＤドライブで、ＣＤを回転させるスピンドルモータにＤＣモータを用いた場合、ＣＤの回転速度が速い、即ちＤＣモータの回転速度が高いほど、ＤＣモータの抵抗値が上がってＤＣモータに掛かる電圧は高くなる。逆にＣＤの回転速度が遅い、即ちＤＣモータの回転速度が低いほど、ＤＣモータの抵抗値が下がってＤＣモータに掛かる電圧は低くなる。即ち、ＤＣモータに掛かる電圧は、ＣＤの回転速度に呼応して変化する。
図９（ａ），（ｂ）は、ＣＤの回転速度とＤＣモータに掛かる電圧のこの関係を利用して、ＣＤの回転速度ムラ、即ち回転速度の変化量を測定するために、ＤＣモータに掛かる電圧の変化量を測定した結果を示すグラフである。図９（ａ），（ｂ）のグラフにおいて、縦軸は、ＤＣモータへの印加電圧２．５Ｖに対する、実測電圧との差の絶対値（単位はｍＶ）を示す。横軸は、音楽ＣＤ上の読み取り箇所（単位は分）を示す。ここでは回転速度ムラの大きい、４０分〜８０分の読み取り箇所における測定結果のみを示す。
【００２３】
図９（ａ）は、ＣＤにディスクスタビライザー１を装着しない場合の測定結果、（ｂ）は、ディスクスタビライザー１を装着した場合の測定結果である。
ディスクスタビライザー１を装着しない場合の（ａ）においては、平均電圧差は２０ｍＶ、最大電圧差は４６ｍＶであった。ディスクスタビライザー１を装着した場合の（ｂ）においては、平均電圧差は８ｍＶ、最大電圧差は２４ｍＶであった。これから、ディスクスタビライザー１をＣＤに装着することによって、ＤＣモータの回転速度、即ちＣＤの回転速度が安定することが分かる。
なお、ＣＤの読み取り箇所が外周になるほど（分数が大きいほど）回転速度ムラが大きいのは、外周になるほど、ＣＤの回転速度を遅くする（読み取り箇所の線速度を一定にするため）ために、ＤＣモータにブレーキを掛けてモータの回転速度の調節を行う機会が増すためである。
【００２４】
このように、ＣＤにディスクスタビライザー１を装着することにより、ＣＤの再生および記録時に生じる回転速度ムラを抑えることができる。また、回転速度ムラだけでなく、振動も抑えることができる。従って、回転速度ムラや振動に起因する、ＣＤのデータの誤読や、ＣＤ−Ｒ等へのデータの記録時の誤記録の発生を抑えることができる。また、ＣＤプレーヤーでの音楽の再生時には、ＣＤの回転運動が安定することで、モータへの電気的負荷が安定し、その結果、同ＣＤプレーヤー内のＤ／Ａ回路やアンプ回路への供給電力が安定し、音楽再生品位が向上するといった効果もある。
【００２５】
また、ディスクスタビライザー１によれば、爪部４，４および支持部６によってＣＤを保持するため、トレーローディング方式の光ディスクドライブ（ＣＤプレーヤー）で再生等を行う際に、ＣＤとディスクスタビライザー１が離れてしまうことがなく、好適に再生を行うことができる。また、ＣＤを縦に装着してロードするトレーローディング方式の光ディスクドライブでも使用することができる。
【００２６】
また、二つの爪部４，４とそれに対向する位置に配設された支持部６との三点でＣＤを保持することで、ＣＤを安定させて保持することができる。さらに、支持部６を有することで、ＣＤを平板部２に沿ってスライドさせてＣＤの外周縁を爪部４，４に引っ掛け、支持部６の内側に押し込むことでＣＤを取り付けることができ、また、取り外しも、支持部６からＣＤの外周端面を解放するだけでよく、極簡単な操作でＣＤを着脱することができる。
また、爪部４，４と支持部６とは、平板部２の中心を中心に、互いにほぼ等角度間隔（１２０度間隔）に配設されるため、ディスクスタビライザー１の重心を、ＣＤの回転軸上に位置させることができ、安定した回転を実現できる。
【００２７】
また、連通孔２ａはＣＤのセンターホールと連通するよう形成されているため、ディスクスタビライザー１がＣＤのセンターホールを塞ぐことがなく、光ディスクドライブが、回転軸をＣＤのセンターホールに通してＣＤを保持する際に、スタビライザーが邪魔にならない。
なお、光ディスクドライブがＣＤを回転させる際に問題が生じない場合には、連通孔２ａは必ずしも設けなくても良い。
【００２８】
なお、本実施の形態のディスクスタビライザー１は、二つの爪部４，４と支持部６とを有するものであるが、本発明はこれに限定されず、様々な応用を行うことができる。
例えば、図７に示すように、支持部６を設けず、三つの爪部４，４，４を設けて光ディスクを保持するようにしても良い。こうすると、上述のディスクスタビライザー１に比較して、ＣＤの着脱は若干しにくくなるが、ＣＤをよりしっかりと保持することができる。
また、爪部４は必ずしも複数設ける必要はなく、例えば、図８に示すように、一つの爪部４を平板部２の外周に沿って長く設けて、その対向する位置に支持部６を設けても良い。
また、爪部４は必ずしも平板部２の外縁部に設ける必要はなく、例えば、ＣＤのセンターホールを通してＣＤのセンターホールの縁部を保持するように設けても良い。
【００２９】
また、本実施の形態のディスクスタビライザー１は、合成樹脂によって形成されているが、金属やセラミック等、他の材料で構成しても良い。
また、平板部２の形状および平板部２の連通孔２ａの形状は、必ずしも円形である必要はない。例えば四角形や三角形等の多角形であってもよい。このとき、平板部２の重心が、光ディスクの回転軸と同軸上に位置する形状、例えば正多角形であることが望ましい。
また、光ディスクとしては、ＣＤを例に挙げて説明を行ったが、ディスクスタビライザー１は、ＣＤと同じく直径１２ｃｍの、ＤＶＤやＰＤ等にも使用することができる。また、ディスクスタビライザー１のサイズを変更することで、ＬＤ等、サイズの異なるあらゆる光ディスクにも使用することが可能である。
【００３０】
【発明の効果】
本発明に係るディスクスタビライザーによれば、光ディスクの回転時の振動や回転速度ムラを抑え、光ディスクの誤読や、光ディスクへの誤記録を抑えることができ、また、再生および記録品位を向上させることが可能となる。さらに、トレーローディング方式の光ディスクドライブで使用でき、また光ディスクへの着脱が容易であるという効果がある。
【図面の簡単な説明】
【図１】本発明に係るディスクスタビライザーの、光ディスクの取り付け面側からみた平面図である。
【図２】本発明に係るディスクスタビライザーの、光ディスクの取り付け面の裏面側からみた平面図である。
【図３】爪部の側断面図である。
【図４】支持部の側断面図である。
【図５】ディスクスタビライザーへのＣＤの取り付け方法を示す図である。
【図６】ディスクスタビライザーにＣＤを取り付けた状態を示す図である。
【図７】ディスクスタビライザーの別の構成例を示す図である。
【図８】ディスクスタビライザーの別の構成例を示す図である。
【図９】ＣＤドライブでＣＤを回転させるＤＣモータに掛かる電圧の測定結果を示すグラフであり、（ａ）はディスクスタビライザー非装着時の、（ｂ）はディスクスタビライザー装着時の測定結果を示す。
【符号の説明】
１　ディスクスタビライザー
２　平板部
２ａ　連通孔
４　爪部
４ａ　壁部
４ｂ　折り返し部
６　支持部
６ａ　壁部
８，１０　孔部
２０　ＣＤ（光ディスク）
２０ａ　記録面
【図１】
2004022063.tif 000003
【図２】
2004022063.tif 000004
【図３】
2004022063.tif 000005
【図４】
2004022063.tif 000006
【図５】
2004022063.tif 000007
【図６】
2004022063.tif 000008
【図７】
2004022063.tif 000009
【図８】
2004022063.tif 000010
【図９】
2004022063.tif 000011